(57)【要約】      （修正有）【課題】ベビーベッドやベビー用椅子などの機能を兼ね備える多機能揺り籠構造を提供する。【解決手段】多機能揺り籠構造は、相互に組み合わさる揺り棒及び折れ棒を含み、該揺り棒上に支持部材を垂直設置し、該支持部材上に筐体を設け、該筐体上に揺り籠布部材を結合し、赤ん坊を横たわらせる。該折れ棒及び該揺り棒の間に第１転折機構を設け、第１転折機構を使用し、該２つの折れ棒を上向きに倒し地面から離し、２つの揺り棒に該筐体の同期搖動を連動させ、揺り籠を形成し、該２つの折れ棒を下向きに倒し、地面に押さえつけ、揺り籠を動かないように安定させる。支持部材及び筐体の間に第２転折機構を設け、該第２転折機構は、筐体を倒させ、傾斜角度に固定させることができ、筐体上に座席布部材を結合し、赤ん坊を座らせる。【選択図】図１
0003172189.tif 000002
【実用新案登録請求の範囲】
【請求項１】
各揺り棒の両端が上向きに弧状湾曲を呈し、２つの揺り棒が対称に設置される２つの揺り棒と、
各折れ棒の両端が垂直湾曲を呈し、各折れ棒が該２つの揺り棒の両端の間に設置される２つの折れ棒と、
それぞれ隣り合う該揺り棒の一端及び該折れ棒の一端の間に接続され、該２つの折れ棒及び該２つの揺り棒を接続する複数の第１転折機構であって、該第１転折機構により該２つの折れ棒を上向きに倒し地面から離し、２つの揺り棒を同期搖動させ、該第１転折機構により該２つの折れ棒を下向き倒し、地面に押さえつけ、該２つの揺り棒を搖動させないようにする複数の第１転折機構と、
該２つの揺り棒の対称位置にそれぞれ直立する２つの支持部材と、
その２つの対称枠縁がそれぞれ該２つの支持部材と接続する筐体であって、該２つの揺り棒が搖動する時、該筐体が同期搖動できる筐体と、
を含む多機能揺り籠構造。
【請求項２】
前記筐体は、揺り籠布部材を結合し、幼児をその中に横たえる揺り籠を形成する請求項１に記載の多功能揺り籠構造。
【請求項３】
前記筐体の２つの対称な枠辺及び該２つの支持部材の間にそれぞれ第２転折機構を設け、該第２転折機構は、該筐体を倒させ、傾斜角度を固定し、筐体上に座席布部材を結合し、幼児をその中に座らせる座席を形成する請求項１に記載の多功能揺り籠構造。
【請求項４】
前記第１転折機構は、２つの対称に接合する第１殻体と第２殻体と、プッシュボタンと、バネと、ギアプレートと、を含み、該第１殻体は、前記揺り棒は筐体に接続し、該第２殻体は、前記折れ棒と接続し、該第１殻体及び該第２殻体の内面は、それぞれ一体に成型する内歯を設け、該ギアプレートは、該第１殻体及び該第２殻体の間に設置され、該第１殻体の内歯又は該第２殻体の内歯と噛み合うことができ、該プッシュボタンの一端は、該第１殻体を貫通後、該ギアプレートと接触し、該バネは、該ギアプレート及び該第２殻体の間に設置される請求項１に記載の多功能揺り籠構造。
【請求項５】
前記第１殻体の外面に陥没部を具え、該陥没部の表面に間隔を置いて複数の通孔を設置し、前記プッシュボタンの一端は、相互に間隔を置き且つ弾性を有する複数の接続ピンを形成し、該接続ピンの末端に接続ピンが該貫通孔から離脱するのを防止することができる逆フックを形成し、該接続ピンは、該貫通孔を出た後、前記ギアプレートと接触する請求項４に記載の多功能揺り籠構造。
【請求項６】
前記第２殻体の内面中央に軸を形成し、第２殻体の該側ギアプレートに対応して凹陥空間を形成し、前記バネの一端が該軸上に被せ設けられ、他端が該凹陥空間内に位置する請求項４に記載の多功能揺り籠構造。
【請求項７】
前記プッシュボタンを押下する時、プッシュボタンが前記ギアプレートを押し上げ、前記ギアプレートは、前記第２殻体の内歯と噛み合い、この時、上向き又は下向きに前記折れ棒を倒し、プッシュボタンを緩める時、前記折れ棒の角度を固定することができる請求項４に記載の多功能揺り籠構造。
【請求項８】
前記第２転折機構は、第１殻体と、第２殻体と、第３殻体と、プッシュボタンと、バネと、ギアプレートと、を含み、該第１殻体及び該第２殻体の間に前記筐体を挟み固定し、該第１殻体及び該第３殻体の内面にそれぞれ一体に成型した内歯を設け、該ギアプレートは、該第１殻体及び該第３殻体の間に設置され、該第１殻体の内歯又は該第３殻体の内歯と噛み合うことができ、該プッシュボタンの一端は、該第１殻体を貫通後、該ギアプレートと接触し、該バネは、該ギアプレート及び該第３殻体の間に設置される請求項３に記載の多功能揺り籠構造。
【請求項９】
前記プッシュボタンを押下する時、プッシュボタンは、前記ギアプレートを押し上げ、前記ギアプレートは、前記第３殻体の内歯と噛み合い、この時、上向き又は下向きに前記筐体の一側を倒し、プッシュボタンを緩める時、前記筐体の角度を固定することができ、前記筐体に傾斜又は水平状態を呈させる請求項８に記載の多機能揺り籠構造。
【請求項１０】
前記第１殻体は、３つの等距離な円角を有し、第１殻体内面に円形枠辺を形成し、該第２殻体の形状は、該第１殻体上半部と相互に対応し、該第２殻体の底部は、内凹する円弧曲面を形成し、該第３殻体は、第１端及び第２端を有し、第２端は、柄状を呈し、前記支持部材に活動的に接続し、第１端の一部分は、端面向きに内凹する円弧曲面を形成し、他の部分は、平行方向で且つ形状が該第１殻体円形枠辺に対応する円形殻体を形成し、該第２殻体は、該第１殻体と結合し、該第１殻体の円形枠辺は、該第３殻体の円形殻体と相応し、該第１殻体下方の円角は、該第３殻体の円弧曲面と相応し、該第２殻体の円弧曲面は、該円形殻体の曲面と相応する請求項８に記載の多機能揺り籠構造。
【請求項１１】
前記第１殻体及び前記第２殻体の間に把手設置部を構成する請求項１０に記載の多機能揺り籠構造。
【請求項１２】
更に、把手を含み、該把手の両端が下向きに湾折し、それぞれ該２つの第２転折機構の該把手設置部内にフック結合する請求項１１に記載の多機能揺り籠構造。
【請求項１３】
前記第１殻体の外面に陥没部を有し、該陥没部の表面に間隔を置いて複数の貫通孔を設置し、前記プッシュボタンの一端に間隔を置き且つ弾性を有する複数の接続ピンを形成し、該接続ピンの末端に接続ピンが該貫通孔から離脱することを防止できる逆フックを形成し、該接続ピンは、該貫通孔を出た後、前記ギアプレートと接触する請求項８に記載の多功能揺り籠構造。
【請求項１４】
前記支持部材は、組み合わせソケットを含み、該組み合わせソケットは、前記揺り棒及び前記支持部材の間に固定設置され、該組み合わせソケット及び該支持部材の末端の間に第１分離機構を有し、１つに組み合わさった該支持部材及び該組み合わせソケットを分離することができる請求項１に記載の多功能揺り籠構造。
【請求項１５】
前記第１分離機構は、前記支持部材末端に挿入柱及び回転軸を設置し、該挿入柱は、中空を呈し、且つ挿入柱上に２つの対称面を貫通する通孔を有し、挿入柱の中空内部に一体に湾折する弾性部材を設置し、該弾性部材の二辺にそれぞれ凸縁を設け、該２つの凸縁は、挿入柱の２つの通孔に弾性伸出し、前記組み合わせソケット内に受け台を設け、該受け台は、収容空間を有し、該挿入柱を収納させ、該受け台は、２つの対称面を貫通する通孔を有し、該挿入柱は、該受け台内に設置され、該弾性部材の２つの凸縁も該受け台の２つの通孔に弾性伸出し、前記組み合わせソケットの２つの対称外表面は、それぞれ弾性プッシュボタンを設置し、更に、挿入ピンを有し、組み合わせソケット外表面から該回転軸を通過し、該２つの弾性プッシュボタンを押下する時、該２つの弾性プッシュボタンが前記２つの凸縁を押圧し、該２つの凸縁が前記受け台の２つの通孔から弾性退出し、前記挿入柱は、受け台から離脱でき、前記支持部材の一部分を抜き起こし、前記支持部材は、該回転軸を通過する挿入ピンを中心とすることができ、水平状態まで旋転される請求項１４に記載の多功能揺り籠構造。
【請求項１６】
前記支持部材上端に収容空間を形成し、前記第３殻体の第２端を収容することに用い、前記支持部材及び前記第３殻体の第２端の間に第２分離機構を設け、支持部材及び前記第３殻体の第２端を分離でき、前記筐体を前記支持部材から離脱させ、前記筐体に揺り籠布部材を結合し、前記把手を組み合わせ、手提げ籠を形成する請求項１２に記載の多機能揺り籠構造。
【請求項１７】
前記第２分離機構は、弾性プッシュボタンを含み、該弾性プッシュボタンは、前記支持部材外側面にプッシュキーを軸回転可能に接続し、該プッシュキー上半部及び前記支持部材外側面の間にバネを設置し、該プッシュキー下半部は、横向き挿入ピンを形成し、前記第３殻体の第２端表面に挿入孔を設け、該プッシュキー上半部を押下する時、該プッシュ下半部の挿入ピンは、該第３殻体の第２端表面の挿入孔から離れ、第３殻体を支持部材から離脱させることができる請求項１６に記載の多功能揺り籠構造。
【請求項１８】
前記把手及び前記把手設置部の間に第３分離機構を有し、該第３分離機構は、前記把手の両端に更にそれぞれ設ける挿入ピンと、該挿入ピンの表面に設ける環状溝と、を含み、前記第１殻体及び前記第２殻体の間にプッシュボタンを横向き設置し、該プッシュボタンの一部分は、貫通孔を有し、該プッシュボタンの末端にバネを設置し、前記把手上の挿入ピンが通常状態において該プッシュボタンの貫通孔を貫通し、且つ該挿入ピンの溝は、該プッシュボタンの貫通孔の周辺に偏心的に係止し、該プッシュボタンを押下する時、該貫通孔周辺が該挿入ピンの溝から離れ、該挿入ピンを該プッシュボタンから離し、前記把手の両端を前記把手設置部から離脱させる請求項１２に記載の多功能揺り籠構造。
【考案の詳細な説明】
【技術分野】
【０００１】
本考案は、異なる要求に応じて構造配列を変化させ、赤ん坊を横たわらせる揺り籠、揺り椅子又は手提げ籠等を形成する多機能揺り籠構造に関する。
【背景技術】
【０００２】
両親が長時間赤ん坊を抱いている時、両腕の筋肉が痛くなり、疲労する時があり、この時、家の中、室内に赤ん坊を安置できる場所があれば、赤ん坊をその適当な個所に安置し、両上の筋肉を緩め、休憩することができるが、屋外で赤ん坊を安置させることができる適当な場所がない時、赤ん坊を抱き続け、休息し、リラックスする機械を得ることができない。
【０００３】
従って、ベビーベッド、ベビー用揺り籠（ベッド）、ベビー用シート、ベビー用揺り椅子等の用品が多く市場に出ている。多くの両親は、高額を費やし、異なる機能のベビーベッド、ベビー用揺り籠（ベッド）、ベビー用シート、ベビー用揺り椅子等の用品を購入している。これらの用品は、通常、室内で多くの空間を占有している。
【先行技術文献】
【特許文献】
【０００４】
【特許文献１】登録実用新案第３１３４６５６号公報
【考案の概要】
【考案が解決しようとする課題】
【０００５】
これに鑑みて、本考案の目的は、ベビーベッド、ベビー揺りベッド、ベビー用シート、ベビー用椅子及び手提げ籠機能を兼ね備える多機能揺り籠装置を設計し、使用者がただこの装置を購入するだけで、上記機能を享受でき、多くの単一機能の装置を購入する費用を浪費する必要がないようにすることである。
【０００６】
本考案のもう１つの目的は、分解組み合わせ可能な多機能揺り籠装置を設計し、使用が不要である時、使用者が、各部材を取り外し、畳み置き、収納時に占有する空間を縮小することができるようにすることである。
【課題を解決するための手段】
【０００７】
本考案が提供する多機能揺り籠構造は、２つの揺り棒、２つの折れ棒、複数の第１転折機構、２つの支持部材及び筐体を含む。各揺り棒の両端は、上向きに弧状湾曲を呈し、２つの揺り棒が対称に設置される。各折れ棒の両端は、垂直湾曲を呈し、各折れ棒は、該２つの揺り棒の相対する両端の間に設置される。該第１転折機構は、それぞれ隣り合う該揺り棒の一端と該折れ棒の一端の間に連結され、２つの折れ棒及び２つの揺り棒を相互に接続させる。該２つの支持部材は、それぞれ２つの揺り棒の対称位置上に直立する。該筐体は、その２つの対称な枠辺は、それぞれ該２つの支持部材と接続し、筐体上に揺り籠布部材を結合することができる。該第１転折機構は、２つの折れ棒を上向きに倒し地面を離れさせることにより、２つの揺り棒を同期搖動させ、搖動と同時に揺り籠布部材を有する筐体を結合し、伴って搖動し、揺り籠を形成し、赤ん坊をあやし、眠らせることに適用できる。該転折機構により該２つの折れ棒を下向きに倒し地面に押さえつけるにより、元々搖動していた揺り籠を固定して不動にし、睡眠ベッドを形成し、熟睡中の赤ん坊に適用することができる。
【０００８】
そのうち、筐体の２つの対称な枠辺の間に把手を設ける。
【０００９】
そのうち、支持部材末端及び揺り棒の間に第１分離機構を設け、揺り棒及び支持部材を分離組み合わせできる。支持部材及び筐体の間に第２分離機構を設け、支持部材及び筐体を分離組み合わせできる。筐体及び把手の間に第３分離機構を設け、把手と筐体を分離組み合わせできる。
【００１０】
第２分離機構は、筐体を支持部材から離脱させた後、筐体に前記揺り籠布部材を結合し、該把手を組み合わせ、可携帯型の手提げ籠を形成する。熟睡中の赤ん坊を移動する必要がある時、手提げ籠中に横たわらせた赤ん坊を驚かし、動かす必要がないようにすることができる。
【００１１】
そのうち、筐体の２つの対称な枠辺及び２つの支持部材の間にそれぞれ第２転折機構を設け、該第２転折機構は、筐体を支持部材上で倒し、傾斜角度に固定させることができるようにする。筐体上に座席布部材を結合することができ、幼児をその中に座らせる座席を形成することができる。その後、前記揺り棒の搖動機能を組み合わせることができ、座席を揺り籠に伴って搖動させ、揺り椅子を形成することができる。また、折れ棒を下に倒し、座席を動かないように固定させることができる。
【考案の効果】
【００１２】
上記から分かるように、従来の単一機能のベビー用品と比較し、本考案の多機能揺り籠構造は、ベビーベッド、ベビー揺りベッド、ベビー用座席、ベビー用揺り椅子及び手提げ籠機能を兼ね備え、両親が多くのベビー用品を購入するのに費やす費用を節減することができる。多機能揺り籠構造の各部材の間に分解、組み合わせ可能な分離構造を設け、迅速に組み立てできるだけでなく、更に分解、畳み置きでき、収納空間を縮小できる。
【図面の簡単な説明】
【００１３】
【図１】本考案の多機能揺り籠構造の好適実施例の使用状態説明図である。
【図２】本考案の多機能揺り籠構造の好適実施例の他の使用状態説明図である。
【図３】本考案の多機能揺り籠構造を揺り籠布部材に結合し、揺り籠を形成する説明図である。
【図４】本考案の多機能揺り籠構造の第１転折機構の分解図である。
【図５Ａ】第１転折機構のプッシュボタンを未だ押下していない状態を表す状態図である。
【図５Ｂ】第１転折機構のプッシュボタンを押下した状態を表す状態図である。
【図６】本考案の多機能揺り籠構造のもう１つの使用状態説明図である。
【図７】本考案の多機能揺り籠構造を座席布部材に結合し、座席を形成する説明図である。
【図８】本考案の多機能揺り籠構造の第２転折機構の分解図である。
【図９Ａ】第２転折機構のプッシュボタンを未だ押下していない状態を表す状態図である。
【図９Ｂ】第２転折機構のプッシュボタンを押下した状態を表す状態図である。
【図１０】把手と第２転折機構を表す分解図である。
【図１１】第１分離機構、第２分離機構を表す分解図である。
【図１２】第１分離機構の動作断面図である。
【図１３】支持部材と揺り棒、折れ棒の折り畳みの説明図である。
【図１４】第２分離機構の動作説明図である。
【図１５】第３分離機構の動作説明図である。
【図１６】本考案の多機能揺り籠構造を揺り籠布部材に結合し、一部の機構を取り外し、揺り籠を形成する説明図である。
【考案を実施するための形態】
【００１４】
図面と部材符号を合わせ、本考案の実施方式に対し、更に詳細な説明を行い、当業者が本説明を閲読後に、実施可能となるようにする。
【００１５】
図１及び図２を参照し、それは、本考案の多機能揺り籠構造の好適実施例の２種の使用状態の説明図である。多機能揺り籠構造は、２つの揺り棒１と、２つの折れ棒２と、複数の第１転折機構３と、２つの支持部材４と、筐体５と、を含む。各揺り棒１の両端は、上向きに弧状湾曲を呈し、２つの揺り棒１は、対称に設置される。各折れ棒２の両端は、垂直湾曲を呈し、各折れ棒２は、該２つの揺り棒１の相対する両端の間に設置される。該第１転折機構３は、それぞれ隣り合う該揺り棒１の一端及び該折れ棒１の一端の間を連結し、２つの折れ棒及び２つの揺り棒１を相互に接続させる。該２つの支持部材４は、２つの揺り棒１の対称位置上にそれぞれ直立する。該筐体５は、その２つの対称の枠辺は、それぞれ該２つの支持部材４と接続する。該転折機構３により２つの折れ棒２を上向きに倒し地面から離し（図１参照）、２つの揺り棒１を同期搖動させ、搖動すると同時に枠体５も伴って搖動する。該転折機構３により該２つの折れ棒２を下向きに倒し、地面に押さえつけ（図２参照）、該２つの揺り棒１を振動させることができず、枠体５を動かないように安定固定させる。図３は、本考案の多機能揺り籠構造の応用状態説明図である。枠体５に特製の揺り籠布部材６を結合し、幼児をその中に横たわらせる揺り籠を形成できる。幼児をあやして寝かしつける時、前記折れ棒２を上向きに地面から離れるように倒すことができ、揺り棒１を前後に搖動させることができ、揺り籠布部材６内に横たわる幼児に搖動を感じさせ、幼児が睡眠時、折れ棒２を下向きに地面に圧制し、揺り棒１の搖動を禁止し、幼児の睡眠の品質を向上させる。図４は、前記第１転折機構の分解図である。該第１転折機構３は、２つの対称に接合する第１殻体３１及び第２殻体３２と、プッシュボタン３３と、バネ３４と、ギアプレート３５と、を含み、該第１殻体３１は、前記搖れ棒１と接続し、該第２殻体３２は、前記折れ棒２と接続し、第１殻体３１及び第２殻体３２の内面にそれぞれ一体に成型される内歯３１１，３２１を設け、該ギアプレート３５は、第１殻体３１及び第２殻体３２の間に設置され、第１殻体の内歯３１１又は第２殻体の内歯３２１と噛み合うことができ、該プッシュボタン３３の一端は、第１殻体３１を貫通後、該ギアプレート３５と接触し、該バネ３４は、ギアプレート３５及び第２殻体３２の間に設置される。更に、前記第１殻体３１の外面に陥没部（第１殻体外側面に位置し、視角が制限を受けるので、図では、省略する）を有し、該陥没部の表面に複数の貫通孔３１２を間隔を置いて設置し、前記プッシュボタン３３の一端に間隔を置き且つ弾性を有する複数の接続ピン３３１を形成し、該接続ピン３３１の末端は、接続ピンが該貫通孔３１２から離脱することを防止できる逆フック３３１１を形成し、該接続ピン３３１は、該貫通孔３１２から出た後、前記ギアプレート３５と接触する。更に、前記第２殻体３２の内面中央に軸３２２を形成し、第２殻体３２に面する該ギアプレート３５に凹陥空間３５１を形成し、前記バネ３４の一端は、該軸３２２上に被さり、他端は、該凹陥空間３５１内に位置する。図４に合わせて、図５Ａ及び図５Ｂを参照し、それは、それぞれプッシュボタンを押下していない状態及びプッシュボタンを押下した状態の説明図である。折れ棒２を上に倒すか下に倒すかを問わず、先ずプッシュボタン３３を押す必要があり、プッシュボタンが前記ギアプレート３５を押し上げ、ギアプレート３５は、第１殻体３１の内歯３１１の位置は、完全に第２殻体３２の内歯３２１と噛み合うまで推移し、バネ３４を圧縮し、この時、上向き又は下向きに前記折れ棒２を倒すことができる。プッシュボタン３３を緩める時、バネ３４は、原状の力量を回復し、ギアプレート３５を第１殻体の内歯３１１に押し戻し、この時、折れ棒２を更に倒すことはできず、即ち、折れ棒２の各度を固定することができる。
【００１６】
図６は、本考案の多功能揺り籠構造の他の使用状態説明図である。前記筐体５の２つの対称な枠辺及び２つの支持部材４の間にそれぞれ第２転折機構７を有し、該第２転折機構７は、筐体５を倒させ、傾斜角度を固定させることができる。同時に図７を参照し、その応用方式は、筐体５上に座席布部材９を結合し、幼児をその中に座らせる座席を形成する。その後、前段に記載の揺り棒１の搖動機能を組み合わせ、座席を揺り棒１に伴って搖動させ、揺り椅子を形成することができる。または、使用者の要求に応じて調整し、折れ棒２を下に倒し、座席を動かないように固定することができる。図８は、第２転折機構の分解図である。第２転折機構７は、第１殻体７１と、第２殻体７２と、第３殻体７３と、プッシュボタン７４と、バネ７５と、ギアプレート７６と、を含み、該第１殻体７１及び第２殻体７２の間に前記筐体５を挟み、固定し、第１殻体７１及び第３殻体７３の内面にそれぞれ一体に成型した内歯７１１，７３３を設け、該ギアプレート７６は、第１殻体７１及び第３殻体７３の間に設置され、第１殻体の内歯７１１又は第３殻体の内歯７３３と噛み合うことができ、該プッシュボタン７４の一端は、第１殻体７１を貫通後、ギアプレート７６と接触し、該バネ７５は、ギアプレート７６及び第３殻体７３の間に設置される。更には、第１殻体７１は、３つの等間隔の円角を有し、第１殻体７１内面に円形枠辺７１２を形成し、第２殻体７２の形状は、第１殻体７１上半部と相互に対応し、第２殻体７２の底部は、内凹の円弧曲面７２１を形成し、第３殻体７３は、第１端７３１及び第２端７３２を有し、その第２端７３２は、柄状を呈し、前記支持部材４に活動的に接続し、その第１端７３１の一部分は、端面に向かって内凹する円弧曲面７３１１を形成し、他の部分は、平行方向且つ形状が該第１殻体円形枠辺７１２に対応する円形殻体７３１２を形成する。第２殻体７２２は、第１殻体７１と結合し、第１殻体の円形枠辺７１２は、第３殻体の円形殻体７３１２と相応して接合し、第１殻体７１下方の円角は、第３殻体の円弧曲面７３１１と相応して接触し、第２殻体７２の円弧曲面７２１は、第３殻体７３上方の円形殻体７３１２の曲面と相応して接触する。更に、前記第１殻体７１の外面に陥没部（第１殻体外側面に位置し、視角的制限を受けるので、図で省略する）を有し、該陥没部の表面は、間隔を置いて、複数の貫通孔７１３を設置し、前記プッシュボタン７４の一端に間隔を置き且つ弾性を有する複数の接続ピン７４１を形成し、該接続ピンの末端に接続ピン７４１が該貫通孔７１３から離脱することを防止できる逆フック７４１１を形成し、該接続ピン７４１が該貫通孔７１３を出た後、前記ギアプレート７６と接触する。図８に併せて、図９Ａ及び図９Ｂを参照し、それは、それぞれプッシュボタンを押下していない状態及びプッシュボタンを押下した状態を表す状態説明図である。プッシュボタン７４を押下する時、プッシュボタンがギアプレート７６を押し上げ、ギアプレートは、第１殻体の内歯７１１から第３殻体の内歯７３３と噛み合うまで推移し、バネ７５が圧縮を受け、この時、上向き又は下向きに筐体５の一側を倒し、筐体５全体が転動して傾斜状態を呈するようにする。プッシュボタン７４を緩める時、バネ７５が原状の力量を回復し、ギアプレート７６を第１殻体の内歯７１１に押し戻し、この時、筐体を更に倒すことはできず、即ち、筐体５の傾斜の角度を固定することができる。そのうち、第３殻体の円弧曲面７３１１は、第１殻体７１下方の円角と相応する弧凹面であるので、転動の過程において、緩衝を発生しない。
【００１７】
また、図１０を参照し、前記第１殻体７１及び前記第２殻体７２が組み合わさる時、両者の間に把手設置部８１を構成する。多機能揺り籠構造は、更に把手８を含み、該把手の両端は、下向きに湾折し、それぞれ筐体の両辺の把手設置部８１内にフックし、結合する。
【００１８】
本考案の多機能揺り籠構造を便利に収納する為、特に第１分離機構、第２分離機構及び第３分離機構を設計し、３つは、部位を取り外すことができ、揺り棒及び支持部材、支持部材及び筐体、把手及び筐体を相互に分解し、１つに重ね置くことができる。
【００１９】
図１１及び図１２を参照し、それは、それぞれ支持部材及び揺り棒の分解図及び第１分離機構の組み合わせ断面図である。前記支持部材４は、組み合わせソケット４１により揺り棒１上に接続し、該組み合わせソケット４１は、前記揺り棒１及び支持部材４末端の間に固定設置され、該組み合わせソケット４１及び該支持部材４末端の間に該第１分離機構１０を有し、１つに組み合わさった支持部材４及び組み合わせソケット４１を分離することができ、揺り棒１及び支持部材４の固定する角度及び関係を変化させ、収納に便利することができる。第１分離機構１０は、支持部材４末端に挿入柱１０１及び回転軸１０２を設置し、該挿入柱１０１は、中空を呈し、且つ挿入柱上に２つの対称面を貫通する通孔１０１１を有し、挿入柱１０１の中空内部に一体に湾折する弾性部材１０３を設置し、該弾性部材の両辺にそれぞれ凸縁１０３１を設け、該２つの凸縁は、挿入柱の２つの通孔１０１１に弾性伸出する。前記組み合わせソケット４１は、受け台１０４を内設し、Ｕ型を呈し、収容空間１０４１を形成し、該挿入柱１０１を収容させ、該受け台１０４に２つの対称面を貫通する通孔１０４２を有し、挿入柱１０１は、受け台の収容空間１０４１内に設置され、該弾性部材１０３の両凸縁１０３１は、挿入柱の２つの通孔１０１１から更に受け台の２つの通孔１０４２に弾性伸出し、挿入柱１０１を受け台１０４中に制限させる。同時に図１３を参照し、前記組み合わせソケット４１の２つの対称な該表面にそれぞれ弾性プッシュボタン１０５を設置し、この弾性プッシュボタンは、一端に組み合わせソケット４１を結合し、他端は、組み合わせソケットと弾性を具える自由端を形成し、弾性プッシュボタン１０５の内側面に位置が受け台の通孔１０４２に相応する凸縁（図示せず）を有する。更に、挿入ピン１０６を有し、組み合わせソケット４１外表面から該回転軸１０２を貫通してなり、これは、支持部材４と組み合わせソケット４１の組み合わせ状態の記述である。
【００２０】
図１２を再度参照し、該２つの弾性プッシュボタン１０５を押下する時、該２つの弾性プッシュボタン内側の凸縁が弾性部材１０３の２つの凸縁１０３１を押圧し、該２つの凸縁１０３１は、前記受け台の２つの通孔１０４２を弾性退出し、この時、前記挿入柱１０１を抽出し、それを受け台１０４から離脱させることができ、図１３に示すように、支持部材４の一部分は、組み合わせソケット４１から離脱し、その後、離脱した該部分の支持部材は、該回転軸１０２を貫通した挿入ピン１０６を中心とすることができ、水平状態まで旋転される。そのうち、図１３中に、収納時の体積を縮小する為、前記折れ棒２を湾折して揺り棒１に重ね合わせることができる。
【００２１】
図１１を再度参照し、図１１は、支持部材４及び第２転折機構７の第３殻体の第２端７３２の分解図を示してもいる。前記支持部材４上端は、中空を呈し、収容空間４２を形成し、前記第２転折機構の第３殻体の第２端７３２を収容することに用い、該第２端の形状は、該収容空間４２と相互に対応し、支持部材４及び第３殻体の第２端７３２の間に該第２分離機構２０を設け、支持部材４及び第３殻体の第２端７３２を分離でき、前記筐体５を前記支持部材４から離脱し、体積を縮小し、収納に便利にする。一方で、筐体５が前記支持部材４から離脱した後、前記揺り籠布部材６を結合し、前記把手８を組み合わせて使用し、手提げ籠を形成する（図１６参照）。大人が出かける場合、幼児を手提げ籠内に置き、手提げ籠を提げて歩くことができる。
【００２２】
図１１を参照し、前記第２分離機構２０は、弾性プッシュボタンを有し、該弾性プッシュボタンは、支持部材４外側面にプッシュキー２０１を軸回転可能に接続し、該プッシュキー上半部及び前記支持部材外側面の間にバネ２０２を設置し、該プッシュキー２０１下半部に横向きに挿入ピン２０１１を形成し、第３殻体の第２端７３２表面に挿入孔７３２１を設ける。図１４を併せて参照し、それは、第２分離機構の動作断面図である。通常状態でプッシュキー２０１は水平を保持し、プッシュキーの横向き挿入ピン２０１１が支持部材外側面を貫通後、該挿入孔７３２１に挿入され、第３殻体の第２端７３２は、支持部材４の収容空間４２内に制限される。該プッシュキー２０１上半部を押下する時、レバーの原理により、プッシュキー２０１上半部を支持部材表面に傾斜させ、バネ２０２が圧縮を受け、プッシュキー２０１下半部の横向き挿入ピン２０１１は、該挿入孔７３２１を退出し、即ち、第３殻体の第２端７３２を支持部材４から離脱させることができる。
【００２３】
図１０及び図１５を参照し、図１５は、第３分離機構の動作断面図である。前記把手８及び前記把手設置部８１の間に該第３分離機構３０を有し、第３分離機構３０は、把手８の両端にそれぞれ設ける挿入ピン８２をと、該挿入ピンの表面に設ける環状溝８２１を含む。前記第１殻体７１及び前記第２殻体７２の間にプッシュボタン３０１を横向きに設置し、該プッシュボタンの一部分は、貫通孔３０１１を有し、該プッシュボタンの末端にバネ３０２を設置し、該バネは、第２殻体７２に接触する。前記把手上の挿入ピン８２は、通常の状態で該プッシュボタンの貫通孔３０１１を貫通し、且つ挿入ピン８の溝８２１は、プッシュボタンの貫通孔３０１１の周辺に偏心的に係止し、プッシュボタン３０１を押下する時、バネが圧縮を受け、プッシュ３０１が前向きに移動し、貫通孔３０１１周辺が挿入ピンの溝８２１から離れ、即ち、挿入ピン８２がプッシュボタン３０１を引き離し、前記把手８の両端を把手設置部８１から離し、収納時の体積を縮小する。
【００２４】
上記のように、本考案の多機能揺り籠構造は、揺り籠、揺りベッド、揺り椅子、手提げ籠、及び動かないように固定した睡眠用籠及び座席機能を兼ね備え、幼児用品を購入する費用を節減することができる。また、本考案の多機能揺り籠構造は、組み立て式を採用し、収納時、各部材を分解し、重ね置くことができ、空間を占有しない。従来の単一の揺りベッド、揺り籠又は単一の揺り椅子に比較し、多機能且つ収納に便利である。
【符号の説明】
【００２５】
１  揺り棒
２  折れ棒
３  第１転折機構
３１  第１殻体
３１１  内歯
３１２  貫通孔
３２  第２殻体
３２２  軸
３２１  内歯
３３  プッシュボタン
３３１  接続ピン
３３１１  逆フック
３４  バネ
３５  ギアプレート
３５１  凹陥空間
４  支持部材
４１  組み合わせソケット
４２  収容空間
５  筐体
６  揺り籠布部材
７  第２転折機構
７１  第１殻体
７１１  内歯
７１２  円形枠辺
７１３  貫通孔
７２  第２殻体
７２１  円弧曲面
７３  第３殻体
７３１  第１端
７３１１  円弧曲面
７３１２  円形殻体
７３２  第２端
７３２１  挿入孔
７３３  内歯
７４  プッシュボタン
７４１  接続ピン
７４１１  逆フック
７５  バネ
７６  ギアプレート
８  把手
８１  把手設置部
９  座席布部材
１０  第１分離機構
１０１  挿入柱
１０１１  通孔
１０２  回転軸
１０３  弾性部材
１０３１  凸縁
１０４  受け台
１０４１  収容空間
１０４２  通孔
１０５  弾性プッシュボタン
１０６  挿入ピン
２０  第２分離機構
２０１  プッシュキー
２０１１  横向き挿入ピン
２０２  バネ
３０  第３分離機構
３０１  プッシュボタン
３０１１  貫通孔
３０２  バネ
８２  挿入ピン
８２１  溝
【図１】
0003172189.tif 000003
【図２】
0003172189.tif 000004
【図３】
0003172189.tif 000005
【図４】
0003172189.tif 000006
【図５Ａ】
0003172189.tif 000007
【図５Ｂ】
0003172189.tif 000008
【図６】
0003172189.tif 000009
【図７】
0003172189.tif 000010
【図８】
0003172189.tif 000011
【図９Ａ】
0003172189.tif 000012
【図９Ｂ】
0003172189.tif 000013
【図１０】
0003172189.tif 000014
【図１１】
0003172189.tif 000015
【図１２】
0003172189.tif 000016
【図１３】
0003172189.tif 000017
【図１４】
0003172189.tif 000018
【図１５】
0003172189.tif 000019
【図１６】
0003172189.tif 000020
【手続補正書】
【提出日】平成23年10月6日(2011.10.6)
【手続補正１】
【補正対象書類名】実用新案登録請求の範囲
【補正対象項目名】全文
【補正方法】変更
【補正の内容】
【実用新案登録請求の範囲】
【請求項１】
各揺り棒の両端が上向きに弧状湾曲を呈し、２つの揺り棒が対称に設置される２つの揺り棒と、
各折れ棒の両端が垂直湾曲を呈し、各折れ棒が該２つの揺り棒の両端の間に設置される２つの折れ棒と、
それぞれ隣り合う該揺り棒の一端及び該折れ棒の一端の間に接続され、該２つの折れ棒及び該２つの揺り棒を接続する複数の第１転折機構であって、該第１転折機構により該２つの折れ棒を上向きに倒し地面から離し、２つの揺り棒を同期搖動させ、該第１転折機構により該２つの折れ棒を下向き倒し、地面に押さえつけ、該２つの揺り棒を搖動させないようにする複数の第１転折機構と、
該２つの揺り棒の対称位置にそれぞれ直立する２つの支持部材と、
その２つの対称枠縁がそれぞれ該２つの支持部材と接続する筐体であって、該２つの揺り棒が搖動する時、該筐体が同期搖動できる筐体と、
を含む多機能揺り籠構造。
【請求項２】
前記筐体は、揺り籠布部材を結合し、幼児をその中に横たえる揺り籠を形成する請求項１に記載の多機能揺り籠構造。
【請求項３】
前記筐体の２つの対称な枠辺及び該２つの支持部材の間にそれぞれ第２転折機構を設け、該第２転折機構は、該筐体を倒させ、傾斜角度を固定し、筐体上に座席布部材を結合し、幼児をその中に座らせる座席を形成する請求項１に記載の多機能揺り籠構造。
【請求項４】
前記第１転折機構は、２つの対称に接合する第１殻体と第２殻体と、プッシュボタンと、バネと、ギアプレートと、を含み、該第１殻体は、前記揺り棒は筐体に接続し、該第２殻体は、前記折れ棒と接続し、該第１殻体及び該第２殻体の内面は、それぞれ一体に成型する内歯を設け、該ギアプレートは、該第１殻体及び該第２殻体の間に設置され、該第１殻体の内歯又は該第２殻体の内歯と噛み合うことができ、該プッシュボタンの一端は、該第１殻体を貫通後、該ギアプレートと接触し、該バネは、該ギアプレート及び該第２殻体の間に設置される請求項１に記載の多機能揺り籠構造。
【請求項５】
前記第１殻体の外面に陥没部を具え、該陥没部の表面に間隔を置いて複数の通孔を設置し、前記プッシュボタンの一端は、相互に間隔を置き且つ弾性を有する複数の接続ピンを形成し、該接続ピンの末端に接続ピンが該貫通孔から離脱するのを防止することができる逆フックを形成し、該接続ピンは、該貫通孔を出た後、前記ギアプレートと接触する請求項４に記載の多機能揺り籠構造。
【請求項６】
前記第２殻体の内面中央に軸を形成し、第２殻体の該側ギアプレートに対応して凹陥空間を形成し、前記バネの一端が該軸上に被せ設けられ、他端が該凹陥空間内に位置する請求項４に記載の多機能揺り籠構造。
【請求項７】
前記プッシュボタンを押下する時、プッシュボタンが前記ギアプレートを押し上げ、前記ギアプレートは、前記第２殻体の内歯と噛み合い、この時、上向き又は下向きに前記折れ棒を倒し、プッシュボタンを緩める時、前記折れ棒の角度を固定することができる請求項４に記載の多機能揺り籠構造。
【請求項８】
前記第２転折機構は、第１殻体と、第２殻体と、第３殻体と、プッシュボタンと、バネと、ギアプレートと、を含み、該第１殻体及び該第２殻体の間に前記筐体を挟み固定し、該第１殻体及び該第３殻体の内面にそれぞれ一体に成型した内歯を設け、該ギアプレートは、該第１殻体及び該第３殻体の間に設置され、該第１殻体の内歯又は該第３殻体の内歯と噛み合うことができ、該プッシュボタンの一端は、該第１殻体を貫通後、該ギアプレートと接触し、該バネは、該ギアプレート及び該第３殻体の間に設置される請求項３に記載の多機能揺り籠構造。
【請求項９】
前記プッシュボタンを押下する時、プッシュボタンは、前記ギアプレートを押し上げ、前記ギアプレートは、前記第３殻体の内歯と噛み合い、この時、上向き又は下向きに前記筐体の一側を倒し、プッシュボタンを緩める時、前記筐体の角度を固定することができ、前記筐体に傾斜又は水平状態を呈させる請求項８に記載の多機能揺り籠構造。
【請求項１０】
前記第１殻体は、３つの等距離な円角を有し、第１殻体内面に円形枠辺を形成し、該第２殻体の形状は、該第１殻体上半部と相互に対応し、該第２殻体の底部は、内凹する円弧曲面を形成し、該第３殻体は、第１端及び第２端を有し、第２端は、柄状を呈し、前記支持部材に活動的に接続し、第１端の一部分は、端面向きに内凹する円弧曲面を形成し、他の部分は、平行方向で且つ形状が該第１殻体円形枠辺に対応する円形殻体を形成し、該第２殻体は、該第１殻体と結合し、該第１殻体の円形枠辺は、該第３殻体の円形殻体と相応し、該第１殻体下方の円角は、該第３殻体の円弧曲面と相応し、該第２殻体の円弧曲面は、該円形殻体の曲面と相応する請求項８に記載の多機能揺り籠構造。
【請求項１１】
前記第１殻体及び前記第２殻体の間に把手設置部を構成する請求項１０に記載の多機能揺り籠構造。
【請求項１２】
更に、把手を含み、該把手の両端が下向きに湾折し、それぞれ該２つの第２転折機構の該把手設置部内にフック結合する請求項１１に記載の多機能揺り籠構造。
【請求項１３】
前記第１殻体の外面に陥没部を有し、該陥没部の表面に間隔を置いて複数の貫通孔を設置し、前記プッシュボタンの一端に間隔を置き且つ弾性を有する複数の接続ピンを形成し、該接続ピンの末端に接続ピンが該貫通孔から離脱することを防止できる逆フックを形成し、該接続ピンは、該貫通孔を出た後、前記ギアプレートと接触する請求項８に記載の多機能揺り籠構造。
【請求項１４】
前記支持部材は、組み合わせソケットを含み、該組み合わせソケットは、前記揺り棒及び前記支持部材の間に固定設置され、該組み合わせソケット及び該支持部材の末端の間に第１分離機構を有し、１つに組み合わさった該支持部材及び該組み合わせソケットを分離することができる請求項１に記載の多機能揺り籠構造。
【請求項１５】
前記第１分離機構は、前記支持部材末端に挿入柱及び回転軸を設置し、該挿入柱は、中空を呈し、且つ挿入柱上に２つの対称面を貫通する通孔を有し、挿入柱の中空内部に一体に湾折する弾性部材を設置し、該弾性部材の二辺にそれぞれ凸縁を設け、該２つの凸縁は、挿入柱の２つの通孔に弾性伸出し、前記組み合わせソケット内に受け台を設け、該受け台は、収容空間を有し、該挿入柱を収納させ、該受け台は、２つの対称面を貫通する通孔を有し、該挿入柱は、該受け台内に設置され、該弾性部材の２つの凸縁も該受け台の２つの通孔に弾性伸出し、前記組み合わせソケットの２つの対称外表面は、それぞれ弾性プッシュボタンを設置し、更に、挿入ピンを有し、組み合わせソケット外表面から該回転軸を通過し、該２つの弾性プッシュボタンを押下する時、該２つの弾性プッシュボタンが前記２つの凸縁を押圧し、該２つの凸縁が前記受け台の２つの通孔から弾性退出し、前記挿入柱は、受け台から離脱でき、前記支持部材の一部分を抜き起こし、前記支持部材は、該回転軸を通過する挿入ピンを中心とすることができ、水平状態まで旋転される請求項１４に記載の多機能揺り籠構造。
【請求項１６】
前記支持部材上端に収容空間を形成し、前記第３殻体の第２端を収容することに用い、前記支持部材及び前記第３殻体の第２端の間に第２分離機構を設け、支持部材及び前記第３殻体の第２端を分離でき、前記筐体を前記支持部材から離脱させ、前記筐体に揺り籠布部材を結合し、前記把手を組み合わせ、手提げ籠を形成する請求項１２に記載の多機能揺り籠構造。
【請求項１７】
前記第２分離機構は、弾性プッシュボタンを含み、該弾性プッシュボタンは、前記支持部材外側面にプッシュキーを軸回転可能に接続し、該プッシュキー上半部及び前記支持部材外側面の間にバネを設置し、該プッシュキー下半部は、横向き挿入ピンを形成し、前記第３殻体の第２端表面に挿入孔を設け、該プッシュキー上半部を押下する時、該プッシュ下半部の挿入ピンは、該第３殻体の第２端表面の挿入孔から離れ、第３殻体を支持部材から離脱させることができる請求項１６に記載の多機能揺り籠構造。
【請求項１８】
前記把手及び前記把手設置部の間に第３分離機構を有し、該第３分離機構は、前記把手の両端に更にそれぞれ設ける挿入ピンと、該挿入ピンの表面に設ける環状溝と、を含み、前記第１殻体及び前記第２殻体の間にプッシュボタンを横向き設置し、該プッシュボタンの一部分は、貫通孔を有し、該プッシュボタンの末端にバネを設置し、前記把手上の挿入ピンが通常状態において該プッシュボタンの貫通孔を貫通し、且つ該挿入ピンの溝は、該プッシュボタンの貫通孔の周辺に偏心的に係止し、該プッシュボタンを押下する時、該貫通孔周辺が該挿入ピンの溝から離れ、該挿入ピンを該プッシュボタンから離し、前記把手の両端を前記把手設置部から離脱させる請求項１２に記載の多機能揺り籠構造。
【手続補正２】
【補正対象書類名】明細書
【補正対象項目名】００１６
【補正方法】変更
【補正の内容】
【００１６】
図６は、本考案の多機能揺り籠構造の他の使用状態説明図である。前記筐体５の２つの対称な枠辺及び２つの支持部材４の間にそれぞれ第２転折機構７を有し、該第２転折機構７は、筐体５を倒させ、傾斜角度を固定させることができる。同時に図７を参照し、その応用方式は、筐体５上に座席布部材９を結合し、幼児をその中に座らせる座席を形成する。その後、前段に記載の揺り棒１の搖動機能を組み合わせ、座席を揺り棒１に伴って搖動させ、揺り椅子を形成することができる。または、使用者の要求に応じて調整し、折れ棒２を下に倒し、座席を動かないように固定することができる。図８は、第２転折機構の分解図である。第２転折機構７は、第１殻体７１と、第２殻体７２と、第３殻体７３と、プッシュボタン７４と、バネ７５と、ギアプレート７６と、を含み、該第１殻体７１及び第２殻体７２の間に前記筐体５を挟み、固定し、第１殻体７１及び第３殻体７３の内面にそれぞれ一体に成型した内歯７１１，７３３を設け、該ギアプレート７６は、第１殻体７１及び第３殻体７３の間に設置され、第１殻体の内歯７１１又は第３殻体の内歯７３３と噛み合うことができ、該プッシュボタン７４の一端は、第１殻体７１を貫通後、ギアプレート７６と接触し、該バネ７５は、ギアプレート７６及び第３殻体７３の間に設置される。更には、第１殻体７１は、３つの等間隔の円角を有し、第１殻体７１内面に円形枠辺７１２を形成し、第２殻体７２の形状は、第１殻体７１上半部と相互に対応し、第２殻体７２の底部は、内凹の円弧曲面７２１を形成し、第３殻体７３は、第１端７３１及び第２端７３２を有し、その第２端７３２は、柄状を呈し、前記支持部材４に活動的に接続し、その第１端７３１の一部分は、端面に向かって内凹する円弧曲面７３１１を形成し、他の部分は、平行方向且つ形状が該第１殻体円形枠辺７１２に対応する円形殻体７３１２を形成する。第２殻体７２２は、第１殻体７１と結合し、第１殻体の円形枠辺７１２は、第３殻体の円形殻体７３１２と相応して接合し、第１殻体７１下方の円角は、第３殻体の円弧曲面７３１１と相応して接触し、第２殻体７２の円弧曲面７２１は、第３殻体７３上方の円形殻体７３１２の曲面と相応して接触する。更に、前記第１殻体７１の外面に陥没部（第１殻体外側面に位置し、視角的制限を受けるので、図で省略する）を有し、該陥没部の表面は、間隔を置いて、複数の貫通孔７１３を設置し、前記プッシュボタン７４の一端に間隔を置き且つ弾性を有する複数の接続ピン７４１を形成し、該接続ピンの末端に接続ピン７４１が該貫通孔７１３から離脱することを防止できる逆フック７４１１を形成し、該接続ピン７４１が該貫通孔７１３を出た後、前記ギアプレート７６と接触する。図８に併せて、図９Ａ及び図９Ｂを参照し、それは、それぞれプッシュボタンを押下していない状態及びプッシュボタンを押下した状態を表す状態説明図である。プッシュボタン７４を押下する時、プッシュボタンがギアプレート７６を押し上げ、ギアプレートは、第１殻体の内歯７１１から第３殻体の内歯７３３と噛み合うまで推移し、バネ７５が圧縮を受け、この時、上向き又は下向きに筐体５の一側を倒し、筐体５全体が転動して傾斜状態を呈するようにする。プッシュボタン７４を緩める時、バネ７５が原状の力量を回復し、ギアプレート７６を第１殻体の内歯７１１に押し戻し、この時、筐体を更に倒すことはできず、即ち、筐体５の傾斜の角度を固定することができる。そのうち、第３殻体の円弧曲面７３１１は、第１殻体７１下方の円角と相応する弧凹面であるので、転動の過程において、緩衝を発生しない。